(57)【特許請求の範囲】
【請求項１】
機器ケースと、
この機器ケース内に設けられて第１電池を収納する第１電池収納部と、
この第１電池収納部内に設けられて前記第１電池の両極が接触する第１端子部と、
前記第１電池収納部と前記機器ケースの外側部との間に位置する前記機器ケース内に設けられて第２電池を収納する第２電池収納部と、
この第２電池収納部内に設けられて前記第２電池の両極が接触する第２端子部と、
前記機器ケースの外部から前記第２電池収納部内における前記第２端子部と前記第２電池との間に配置されてその両者を絶縁した状態で、前記第１電池収納部内に延び、この延びた端部が前記第１端子部と前記第１電池との間に配置されてその両者を絶縁し、且つこの状態で前記機器ケースの外部に引抜き可能に設けられた絶縁シートと
を備え、
前記第１端子部は前記第１電池収納部内に前記絶縁シートの引抜き方向に対して直交する方向に沿って互いに対向して設けられており、
前記絶縁シートは、その引抜き方向に沿って長いほぼ帯状に形成され、前記機器ケースの外部から前記第２電池収納部内を経て前記第１電池収納部内に延び、この延びた端部から分岐されて前記第１電池収納部内に位置する前記第１端子部に延びる延出部を有し、この延出部が前記第１端子部と前記第１電池との間に配置されていることを特徴とする電子機器。
【発明の詳細な説明】
【技術分野】
【０００１】
この発明は、電子式計算機、電子辞書、電子手帳、携帯情報端末機などの電子機器に関し、更に詳しくは２種類の電池を搭載して動作する電子機器に関する。
【背景技術】
【０００２】
従来、電子機器においては、製品を出荷してから購入者が製品を使用するまでの間に電池が消耗するのを防ぐために、特許文献１に記載されているように、機器ケース内に電池を収納する電池収納部を設けると共に、この電池収納部内に電池の電極が接触する端子部を設け、この端子部と電池収納部内に収納された電池の電極との間に、絶縁シートを引抜き可能に設けて電池の電極と端子部との絶縁を図るように構成したものが知られている。
【特許文献１】特開平１１−４４５５３
【０００３】
このような電子機器では、絶縁シートに切抜き孔を形成し、この絶縁シートをスライドさせて切抜き孔を電池の電極と端子部との間に配置すると、電池の電極と端子部とが接触して導通状態となり、この状態で製品の出荷前の検査を行い、この後、絶縁シートをスライドさせて絶縁シートの絶縁部を電池の電極と端子部との間に配置することにより、電池の電極と端子部とが接触しない絶縁状態にし、この絶縁状態で製品を出荷し、使用者が製品を購入した際に絶縁シートを機器ケース内から外部に引き抜くことにより、電池の電極と端子部とを導通させて使用するように構成されている。
【発明の開示】
【発明が解決しようとする課題】
【０００４】
しかしながら、このような従来の電子機器では、機器の電子回路を駆動するための第１電池を収納する第１電池収納部と、電子回路に組み込まれた記憶素子を駆動するためのバックアップ用の第２電池を収納する第２電池収納部とを備えている場合、これら第１、第２の各電池収納部にそれぞれ絶縁シートを設置する必要があり、このため絶縁シートの枚数が多くなり、その設置作業が煩雑になるばかりか、その作業が面倒であるという問題が生じる。
【０００５】
また、このような電子機器では、システムの動作電圧を安定させるために、第１電池を第１電池収納部の端子部に接続させて電子回路を駆動させた後に、第２電池を第２電池収納部の端子部に接続させて電子回路の記憶素子を駆動させる必要がある。このため、第１電池収納部から１枚目の絶縁シートを引き抜いた後に、第２電池収納部から２枚目の絶縁シートを引き抜かなければならないが、第１、第２の各電池収納部にそれぞれ絶縁シートが設置されていると、２枚の絶縁シートを引き抜く際に順番を間違えてしまうという問題がある。
【０００６】
この発明が解決しようとする課題は、１枚の絶縁シートで第１、第２の各電池の絶縁を図り、且つ第１、第２の各電池の順番を間違えずに導通させることができる電子機器を提供することである。
【課題を解決するための手段】
【０００７】
この発明は、上記課題を解決するために、次のような構成要素を備えている。
請求項１に記載の発明は、機器ケースと、この機器ケース内に設けられて第１電池を収納する第１電池収納部と、この第１電池収納部内に設けられて前記第１電池の両極が接触する第１端子部と、記第１電池収納部と前記機器ケースの外側部との間に位置する前記機器ケース内に設けられて第２電池を収納する第２電池収納部と、の第２電池収納部内に設けられて前記第２電池の両極が接触する第２端子部と、記機器ケースの外部から前記第２電池収納部内における前記第２端子部と前記第２電池との間に配置されてその両者を絶縁した状態で、前記第１電池収納部内に延び、この延びた端部が前記第１端子部と前記第１電池との間に配置されてその両者を絶縁し、且つこの状態で前記機器ケースの外部に引抜き可能に設けられた絶縁シートとを備え、前記第１端子部は前記第１電池収納部内に前記絶縁シートの引抜き方向に対して直交する方向に沿って互いに対向して設けられており、前記絶縁シートは、その引抜き方向に沿って長いほぼ帯状に形成され、前記機器ケースの外部から前記第２電池収納部内を経て前記第１電池収納部内に延び、この延びた端部から分岐されて前記第１電池収納部内に位置する前記第１端子部に延びる延出部を有し、この延出部が前記第１端子部と前記第１電池との間に配置されていることを特徴とする電子機器である。
【発明の効果】
【００１３】
この発明によれば、絶縁シートによって第１電池収納部における第１端子部と第１電池とを絶縁すると共に、第２電池収納部における第２端子部と第２電池とを絶縁することができるので、１枚の絶縁シートで第１、第２の各電池の絶縁を図ることができる。このため、製品を出荷する際に第１、第２の各電池をそれぞれ第１、第２の各電池収納部に収納して出荷することができると共に、第１、第２の各電池をそれぞれ第１、第２の各電池収納部に収納しても、製品の出荷時から購入者が製品を使用するまでの間に電池が消耗するのを確実に防ぐことができる。
【００１４】
また、１枚の絶縁シートで第１、第２の各電池を絶縁した状態で、この絶縁シートを機器ケースの外部に引き抜く際には、まず、絶縁シートが第１電池収納部から引出されて第１電池と第１端子部とを導通させるが、第１電池収納部から引出された絶縁シートが第２電池収納部内に配置されて第２電池と第２端子部との絶縁状態を維持し、この状態で更に絶縁シートが第２電池収納部から引出されることにより、第２電池と第２端子部とを導通させることができる。このため、１枚の絶縁シートを機器ケース内から引き抜くだけの簡単な作業で、第１、第２の各電池の順番を間違えずに導通させることができる。
【発明を実施するための最良の形態】
【００１５】
（実施形態１）
以下、図１〜図７を参照して、この発明を適用した電子機器の実施形態１について説明する。
この電子機器は、図１〜図３に示すように、関数計算用の電子式計算機であり、機器ケース１を備えている。この機器ケース１は、上部ケース２と下部ケース３とからなっている。この場合、上部ケース２の上面（図１では紙面の表面）には、図１に示すように、キー入力部４と表示部５とが設けられている。
【００１６】
キー入力部４は、図１に示すように、テンキー、ファンクションキー、カーソルキーなどの計算機能に必要な各種のキーを備えている。表示部５は、液晶表示素子やＥＬ（エレクトロルミネッセンス）表示素子などの平面型の表示素子からなり、キー入力部４で入力された入力情報、およびこの入力情報に基づいて計算された計算結果などの各種の情報を電気光学的に表示するように構成されている。
【００１７】
一方、下部ケース３には、図３〜図５に示すように、第１電池収納部６と第２電池収納部７とが下部ケース３の中間部分から下辺側(図３では手前側)に亘って設けられている。この第１、第２の各電池収納部６、７は、電池蓋（図示せず）によって開閉自在に覆われるように構成されている。この場合、第１電池収納部６は、図５に示すように、機器ケース１内の電子回路（図示せず）を駆動するための複数の第１電池８を収納するように構成されている。この第１電池８は、単４電池などの円柱状のものであり、その一端部に正極８ａが設けられ、他端部に負極８ｂが設けられた構成になっている。
【００１８】
この第１電池８を収納する第１電池収納部６は、図３〜図５に示すように、４個の第１電池８を機器ケース１の長手方向（図３では上下方向）と直交する方向に沿って配列させて収納するように構成されている。この場合、４個の第１電池８は、その正極８ａと負極８ｂとが交互に逆向きの状態で配列されて第１電池収納部６内に収納される。また、この第１電池収納部６内における機器ケース１の長手方向において互いに対向する各内側面には、図４および図５に示すように、第１端子部９が４個の第１電池８にそれぞれ対応して設けられている。
【００１９】
この第１端子部９は、図４に示すように、第１電池８の正極８ａが接触して導通する金属板からなる正極端子９ａと、第１電池８の負極８ｂが接触して導通するコイルばねからなる負極端子９ｂとを備え、これら正極端子９ａと負極端子９ｂとが電子回路と電気的に接続された状態で、互いに対向して設けられている。この場合、４個の第１電池１０にそれぞれ対応する第１端子部９は、正極端子９ａと負極端子９ｂとが機器ケース１の長手方向において互いに対向する各内側面に沿って交互に設けられていると共に、これら正極端子９ａと負極端子９ｂとが直列に接続された構成になっている。
【００２０】
また、第２電池収納部７は、図３〜図５に示すように、電子回路に組み込まれた記憶素子（いずれも図示せず）を駆動するためのバックアップ用の第２電池１０を収納するように構成されている。この第２電池１０は、図４および図７に示すように、釦型の電池であり、その下面に正極１０ａが設けられ、側面に負極１０ｂが設けられた構成になっている。この第２電池収納部７は、図４および図７に示すように、１個の第２電池１０を収納するように構成されており、この第２電池収納部７内には、第２電池１０の両極１０ａ、１０ｂが接触する第２端子部１１が設けられている。
【００２１】
すなわち、この第２端子部１１は、図３に示すように、第２電池収納部７の底面に設けられて第２電池１０の正極１０ａが接触する正極端子１１ａと、第２電池収納部７の内側面に設けられて第２電池１０の負極１０ｂが接触する負極端子１１ｂとを備え、これら正極端子１１ａと負極端子１１ｂとがそれぞれ機器ケース１内の電子回路(図示せず)と電気的に接続されている。また、この第２電池収納部７には、図５に示すように、第２電池１０を開閉自在に覆って固定するための電池蓋１２が着脱可能に取り付けられている。
【００２２】
ところで、第１電池収納部６は、図３〜図５に示すように、下部ケース３の下辺側（図３では手前側）から上辺側に向けて離れた位置に設けられており、第２電池収納部７は、下部ケース３の下辺側の外側部と第１電池収納部６との間に設けられている。そして、これら第１、第２の各電池収納部６、７内には、図４〜図７に示すように、１枚の絶縁シート１３が機器ケース１の長手方向(図４では上下方向)に沿って引抜き可能に配置されている。
【００２３】
この絶縁シート１３は、図４および図６に示すように、機器ケース１の長手方向である引抜き方向に沿って長いほぼ帯状に形成され、図４および図７に示すように、下部ケース３の下辺側外部から第２電池収納部７内を経て第１電池収納部６内に延びるように構成されている。すなわち、この絶縁シート１３は、図４〜図７に示すように、下部ケース３の下辺側から外部に突出する摘み部１３ａと、第２電池収納部７に対応する第２絶縁部１３ｂと、第１電池収納部６内に延びる第１絶縁部１３ｃとを備えている。
【００２４】
この場合、摘み部１３ａは、図４および図６に示すように、幅が広く形成されている。また、第２絶縁部１３ｂは、第２電池１１に対応する第２端子部１１の正極端子１１ａをほぼ完全に覆うために、長手方向に沿う側部の一部が円弧状に突出して形成されている。さらに、第１絶縁部１３ｃは、第１電池収納部６内に設けられた第１端子部９のうち、第２電池収納部７に最も隣接する第１端子部９の正極端子９ａを図７に示すように覆うように形成されている。
【００２５】
これにより、絶縁シート１３は、図４に示すように、摘み部１３ａが下部ケース３の下辺側から外部に突出し、第２絶縁部１３ｂが第２電池収納部７内に位置し、第１絶縁部１３ｃが第１電池収納部６内に延びて第２電池収納部７に隣接する第１端子部９の正極端子９ａに対応して配置され、この状態で第１、第２の各電池収納部６、７内に第１、第２の各電池８、１０をそれぞれ収納すると、図７に示すように、第１電池８の正極８ａとこれに対応する第１端子部９の正極端子９ａとの間に第１絶縁部１３ｃが配置され、第２電池１０の正極１０ａとこれに対応する第２端子部１１の正極端子１１ａとの間に第２絶縁部１３ｂが配置されるように構成されている。
【００２６】
また、この絶縁シート１３は、図７に示すように、第１電池８の正極８ａと第１端子部９の正極端子９ａとの間に配置されてその両者を絶縁すると共に、第２電池１０の正極１０ａと第２端子部１１の正極端子１１ａとの間に配置されてその両者を絶縁し、この状態で下部ケース３内から外部に引き抜かれると、第１電池８の正極８ａとこれに対応する第１端子部９の正極端子９ａとを相互に接触させて導通させると共に、第２電池１０の正極１０ａとこれに対応する第２端子部１１の正極端子１１ａとを相互に接触させて導通させ、これにより第１、第２の各電池８、１０の電力が電子回路（図示せず）に供給されるように構成されている。
【００２７】
この場合、絶縁シート１３を下部ケース３内から引き抜く際には、まず、第１絶縁部１３ｃが第１電池収納部６内から引き出されて、第１電池８の正極８ａとこれに対応する第１端子部９の正極端子９ａとが接触して導通する。このときには、第１電池収納部６内から引き出された第１絶縁部１３ｃが第２電池収納部７内に移動して、第２電池１０の正極１０ａとこれに対応する第２端子部１１の正極端子１１ａとの間に配置され、この第１絶縁部１３ｃによって第２電池１０の正極１０ａとこれに対応する第２端子部１１の正極端子１１ａとが絶縁される。この状態で、更に絶縁シート１３が引き出されて第１絶縁部１３ｃが下部ケース３内から外部に引き抜かれると、第２電池１０の正極１０ａとこれに対応する第２端子部１１の正極端子１１ａとが接触して導通する。
【００２８】
このように、この電子機器によれば、絶縁シート１３が、機器ケース１の下部ケース３の外部から第２電池収納部７内における第２端子部１１とこれに対応する第２電池１０との間に配置された状態で、第１電池収納部６内に延び、この延びた端部が第１端子部９とこれに対応する第１電池８との間に配置され、且つこの状態で下部ケース３の外部に引抜き可能に設けられているので、１枚の絶縁シート１３で第１、第２の各電池８、１０の絶縁を図ることができると共に、この絶縁シート１３を下部ケース３内から引き抜くだけの簡単な作業で、第１、第２の各電池８、１０の順番を間違えずに導通させることができる。
【００２９】
すなわち、この電子機器では、絶縁シート１３が第２電池収納部７内における第２端子部１１とこれに対応する第２電池１０との間に配置された状態で第１電池収納部６内に延び、この延びた端部が第１端子部９とこれに対応する第１電池８との間に配置されるので、この絶縁シート１３によって第１電池収納部６における第１端子部９とこれに対応する第１電池８とを確実に絶縁することができると共に、第２電池収納部７における第２端子部１１とこれに対応する第２電池１０とを確実に絶縁することができる。
【００３０】
このため、１枚の絶縁シート１３で第１、第２の各電池８、１０の絶縁を図ることができるので、製品を出荷する際に第１、第２の各電池８、１０をそれぞれ第１、第２の各電池収納部６、７に収納して出荷することができると共に、これら第１、第２の各電池８、１０をそれぞれ第１、第２の各電池収納部６、７に収納しても、製品の出荷時から購入者が製品を使用するまでの間に第１、第２の各電池８、１０が消耗するのを確実に防ぐことができる。
【００３１】
また、この電子機器では、絶縁シート１３が下部ケース３内から外部に引抜き可能に設けられているので、絶縁シート１３を下部ケース３の外部に引き抜く際に、まず、絶縁シート１３の第１絶縁部１３ｃが第１電池収納部６から引き出されて、第１電池８とこれに対応する第１端子部９とを接触させて導通させるが、このときには絶縁シート１３の第１絶縁部１３ｃが第２電池収納部７内に移動して第２電池１０とこれに対応する第２端子部１１との間に配置されることにより、第２電池１０とこれに対応する第２端子部１１との絶縁状態を維持することができる。
【００３２】
このため、第１電池８とこれに対応する第１端子部９とを導通させても、第２電池１０とこれに対応する第２端子部１１とが接触して導通することがないので、第１電池８のみを電子回路に接続させることができる。この状態で、更に絶縁シート１３が引き出されて第１絶縁部１３ｃを第２電池収納部７内から下部ケース３の外部に引き抜くと、第２電池１０とこれに対応する第２端子部１１とが接触してその両者を導通させることができる。これにより、購入者が電子機器を使用する際に、１枚の絶縁シート１３を下部ケース３内から引き抜くだけの簡単な作業で、第１、第２の各電池８、１０の順番を間違えずに導通させることができる。
【００３３】
この場合、第１端子部９は、第１電池収納部６内に機器ケース１の長手方向である絶縁シート１３の引抜き方向に沿って互いに対向して設けられていることにより、第１端子部９を第２電池収納部７に最も接近させて設けることができる。また、絶縁シート１３は下部ケース３の外部から第２電池収納部７内を経て第１電池収納部６内に延び、この延びた端部の第１絶縁部１３ｃが第２電池収納部７に最も隣接する第１電池収納部６内の第１端子部９とこれに対応する第１電池８との間に配置されるので、絶縁シート１３がその引抜き方向に沿って長いほぼ帯状に形成されていても、絶縁シート１３を最小限に短く形成することができる。
【００３４】
（実施形態２）
次に、図８〜図１０を参照して、この発明を適用した電子機器の実施形態２について説明する。なお、図１〜図７に示された実施形態１と同一部分には同一符号を付して説明する。
この電子機器は、第１電池収納部２０内に収納される第１電池８の向きが実施形態１と異なり、これに伴って第１端子部２１の取付位置が実施形態１と異なると共に、絶縁シート２２の形状が実施形態１と異なる構成であり、これ以外は実施形態１とほぼ同じ構成になっている。
【００３５】
すなわち、第１電池収納部２０は、図８および図９に示すように、４個の第１電池８を機器ケース１の長手方向（図９では上下方向）に沿って配列させて収納するように構成されている。この場合にも、４個の第１電池８は、その正極８ａと負極８ｂとが交互に逆向きの状態で配列されて第１電池収納部６内に収納される。また、この第１電池収納部２０内における機器ケース１の長手方向と直交する方向において互いに対応する各内側面には、図８および図９に示すように、第１端子部２１が４個の第１電池８にそれぞれ対応して設けられている。
【００３６】
この第１端子部２１は、図８および図９に示すように、第１電池８の正極８ａが接触して導通する金属板からなる正極端子２１ａと、第１電池８の負極８ｂが接触して導通するコイルばねからなる負極端子２１ｂとを備え、これら正極端子２１ａと負極端子２１ｂとが電子回路（図示せず）と電気的に接続された状態で、互いに対向して設けられている。この場合にも、４個の第１電池８にそれぞれ対応する第１端子部２１は、正極端子２１ａと負極端子２１ｂとが機器ケース１の長手方向と直交する方向において互いに対向する各内側面に沿って交互に設けられていると共に、これら正極端子２１ａと負極端子２１ｂとが直列に接続された構成になっている。
【００３７】
一方、絶縁シート２２は、図９および図１０に示すように、下部ケース３の下辺側（図９では手前側）の外部から第２電池収納部７内における第２電池１０の正極１０ａと第２端子部１１の正極端子１１ａとの間（図７参照）を経て第１電池収納部２０内に延び、この延び端部から分岐されて第１端子部２１の正極端子２１ａまで延出された延出部２３を有し、この延出部２３が第１端子部２１の正極端子２１ａとこれに対応する第１電池８の正極８ａとの間に配置されるように構成されている。
【００３８】
すなわち、この絶縁シート２２は、図９および図１０に示すように、下部ケース３の下辺側から外部に突出する摘み部２２ａと、第２電池収納部７に対応する第２絶縁部２２ｂと、第１電池収納部６内に延びる第１絶縁部２２ｃと、この第１絶縁部２２ｃから分岐されて第１端子部２１の正極端子２１ａに延びる延出部２３とを備え、機器ケース１の長手方向に沿って下部ケース３内から外部に引抜き可能に設けられている。この場合、延出部２３は、第１電池収納部２０内に設けられた第１端子部２１のうち、第２電池収納部７に最も隣接する第１端子部２１の正極端子２１ａを覆うように形成されている。
【００３９】
これにより、絶縁シート２２は、摘み部２２ａが下部ケース３の下辺側から外部に突出し、第２絶縁部２２ｂが第２電池収納部７内に位置し、第１絶縁部２２ｃが第１電池収納部２０内に延びて位置し、延出部２３が第１電池収納部２０内における第２電池収納部７に最も隣接する第１端子部２１の正極端子２１ａに対応して配置され、この状態で第１、第２の各電池収納部２０、７内に第１、第２の各電池８、１０をそれぞれ収納すると、第２電池１０の正極１０ａとこれに対応する第２端子部１１の正極端子１１ａとの間に第２絶縁部２２ｂが配置され、第１電池８の正極８ａとこれに対応する第１端子部９の正極端子９ａとの間に延出部２３が配置されるように構成されている。
【００４０】
また、この絶縁シート２２は、第１電池８の正極８ａとこれに対応する第１端子部２１の正極端子２１ａとの間に配置されてその両者を絶縁すると共に、第２電池１０の正極１０ａとこれに対応する第２端子部１１の正極端子１１ａとの間に配置されてその両者を絶縁し、この状態で下部ケース３内から外部に引き抜かれると、第１電池８の正極８ａとこれに対応する第１端子部２１の正極端子２１ａとを相互に接触させて導通させると共に、第２電池１０の正極１０ａとこれに対応する第２端子部１１の正極端子１１ａとを相互に接触させて導通させ、これにより第１、第２の各電池８、１０の電力が電子回路（図示せず）に供給されるように構成されている。
【００４１】
この場合、絶縁シート２２を下部ケース３から引き抜く際には、まず、第１絶縁部２２ｃが第１電池収納部６内から引き出されると共に、この第１絶縁部２２ｃから分岐された延出部２３が第１電池８の正極８ａとこれに対応する第１端子部２１の正極端子２１ａとの間から引き出される。これにより、第１電池８の正極８ａとこれに対応する第１端子部２１の正極端子２１ａとが相互に接触して導通する。
【００４２】
このときには、第１電池収納部６内から引き出された第１絶縁部２２ｃが第２電池収納部７内に移動して、第２電池１０の正極１０ａとこれに対応する第２端子部１１の正極端子１１ａとの間に配置され、この第１絶縁部２２ｃによって第２電池１０の正極１０ａとこれに対応する第２端子部１１の正極端子１１ａとが絶縁される。この状態で、更に絶縁シート２２が引き出されて第１絶縁部２２ｃが下部ケース３の外部に引き抜かれると、第２電池１０の正極１０ａとこれに対応する第２端子部１１の正極端子１１ａとが接触して導通する。
【００４３】
このように、この電子機器によれば、絶縁シート２２が、機器ケース１の外部から第２電池収納部７内を経て第１電池収納部２０内に延び、この延びた端部から分岐されて第１端子部２１とこれに対応する第１電池８との間に配置される延出部２３を有しているので、第１電池収納部２０内に第１電池８を絶縁シート２２の引抜き方向である機器ケース１の長手方向に沿って配列させて収納するために、第１端子部２１を機器ケース１の長手方向である絶縁シート２２の引抜き方向に対し直交する方向に対向させて設けても、実施形態１と同様、１枚の絶縁シート２２で第１、第２の各電池８、１０の絶縁を図ることができる。
【００４４】
このため、製品を出荷する際に第１、第２の各電池８、１０をそれぞれ第１、第２の各電池収納部２０、７に収納して出荷することができると共に、これら第１、第２の各電池８、１０をそれぞれ第１、第２の各電池収納部２０、７に収納しても、製品の出荷時から購入者が製品を使用するまでの間に第１、第２の各電池８、１０が消耗するのを確実に防ぐことができる。また、この場合にも、１枚の絶縁シート２２を下部ケース３内から引抜くだけの簡単な作業で、第１電池８を導通させた後に第２電池１０を導通させるという順番に従って第１、第２の各電池８、１０を導通させることができるので、第１、第２の各電池８、１０の順番を間違えることなく導通させることができる。
【００４５】
（実施形態３）
次に、図１１および図１２を参照して、この発明を適用した電子機器の実施形態３について説明する。この場合にも、図１〜図７に示された実施形態１と同一部分に同一符号を付して説明する。
この電子機器は、第２電池収納部７の第２端子部３１を回路基板３２に対し接離可能に設け、この第２端子部３１と回路基板３２との間に絶縁シート３０を引抜き可能に配置した構成であり、これ以外は実施形態１とほぼ同じ構成になっている。
【００４６】
この場合、機器ケース１の下部ケース３内には、図１２に示すように、回路基板３２が設けられている。また、第２電池収納部７の第２端子部３１は、図１１および図１２に示すように、第２電池収納部７の底面の下側に設けられて第２電池１０の正極１０ａが接触する正極端子３３と、第２電池収納部７の内側面に設けられて第２電池１０の負極１０ｂが接触する負極端子３４とを備えている。
【００４７】
この場合、正極端子３３は、図１１および図１２に示すように、リング状の金属板からなり、その内周部から中心側に向けて斜め上側に延びる複数の接触片３３ａを備え、この複数の接触片３３ａが第２電池収納部７の底面に設けられた円形状の貫通孔７ｂを通して第２電池収納部７内に突出し、この突出した上端部が第２電池１０の正極１０ａに接触することにより、第２電池１０と導通して電気的に接続されると共に、この複数の接触片３３ａが第２電池１０によって押し下げられることにより、正極端子３３が回路基板３２に対し接離可能に接触するように構成されている。
【００４８】
すなわち、この正極端子３３の複数の接触片３３ａは、それぞれ板ばね機能を有し、図１２に示すように、第２電池収納部７内に第２電池１０が収納されて電池蓋１２で押え付けられると、第２電池１０の正極１０ａが弾力的に接触し、この第２電池１０の正極１０ａによって押し下げられて弾性変形することにより、リング状の正極端子３３を回路基板３２に弾力的に押し付けて接触させ、これにより正極端子３３と回路基板３２とを電気的に接続させるように構成されている。また、第２端子部３１の負極端子３４は、回路基板３２と電気的に接続されている。
【００４９】
一方、絶縁シート３０は、図１１および図１２に示すように、下部ケース３の下辺側（図１１では手前側）の外部から第２電池収納部７の下側を経て第１電池収納部６側に延び、この延びた端部が第１電池収納部６の底部に設けられたスリット孔６ａを通して第１電池収納部６内に折り曲げられて挿入し、この挿入した端部が第１端子部９の正極端子９ａとこれに対応する第１電池８の正極８ａとの間に配置され、この状態で下部ケース３内から外部に機器ケース１の長手方向(図１１では上下方向)に沿って引抜き可能に設けられた構成になっている。
【００５０】
すなわち、この絶縁シート３０は、実施形態１と同様、下部ケース３の下辺側から外部に突出する摘み部３０ａと、第２電池収納部７に対応する第２絶縁部３０ｂと、第１電池収納部６内に延びる第１絶縁部３０ｃとを備えている。この場合、第２電池収納部７に対応する第２絶縁部３０ｂは、図１２に示すように、第２電池収納部７の底部における下辺側（図１１では手前側）に設けられたスリット孔７ａを通して下部ケース３の外部から第２電池収納部７の下側に送り込まれて、第２端子部３１の正極端子３３と回路基板３２との間に配置されている。
【００５１】
また、第１電池収納部６側に延びた第１絶縁部３０ｃは、図１２に示すように、第１電池収納部６の底部に設けられたスリット孔６ａを通して第１電池収納部６内に折り曲げられて挿入され、この挿入した第１絶縁部３０ｃが第２電池収納部７に最も隣接する第１端子部９の正極端子９ａに対応し、この対応した第１絶縁部３０ｃが第１端子部９の正極端子９ａとこれに対応する第１電池８の正極８ａとの間に配置されるように形成されている。
【００５２】
これにより、絶縁シート３０は、摘み部２２ａが下部ケース３の下辺側から外部に突出し、第２絶縁部３０ｂが第２電池収納部７における第２端子部３１の正極端子３３と回路基板３２との間に位置し、第１絶縁部３０ｃが第１電池収納部２０側に延びて第２電池収納部７に隣接する第１端子部９の正極端子９ａに対応して配置され、この状態で第１、第２の各電池収納部６、７内に第１、第２の各電池８が収納されると、第１電池８の正極８ａとこれに対応する第１端子部９の正極端子９ａとの間に第１絶縁部１３ｃが配置されると共に、第２電池１０の正極１０ａがこれに対応する第２端子部３１の正極端子３３に接触して導通するが、この正極端子３３と回路基板３２との間に第２絶縁部３０ｂが配置されて第２電池１０と回路基板３２との間を絶縁するように構成されている。
【００５３】
また、この絶縁シート３０は、第１電池８の正極８ａとこれに対応する第１端子部２１の正極端子２１ａとの間に配置されてその両者を絶縁すると共に、第２電池１０の正極１０ａが接続された第２端子部３１の正極端子３３と回路基板３２との間に配置されてその両者を絶縁し、この状態で下部ケース３から外部に引き抜かれると、回路基板３２に接続された第１端子部９の正極端子９ａとこれに対応する第１電池８の正極８ａとを相互に接触させて導通させると共に、第２電池１０の正極１０ａが接続された第２端子部３１の正極端子３３と回路基板３２とを相互に接触させて導通させ、これにより第１、第２の各電池８、１０の電力が電子回路（図示せず）に供給されるように構成されている。
【００５４】
この場合にも、絶縁シート３０を下部ケース３内から外部に引き抜く際には、まず、第１絶縁部３０ｃが第１電池収納部６内から引き出されて、回路基板３２に接続された第１端子部９の正極端子９ａとこれに対応する第１電池８の正極８ａとが接触して導通する。このときには、第１電池収納部６内から引き出された第１絶縁部３０ｃが第２電池収納部７側に移動して第２電池１０の正極１０ａが接続された第２端子部３１の正極端子３３と回路基板３２との間に配置され、この第１絶縁部３０ｃによって第２端子部３１の正極端子３３と回路基板３２とを絶縁する。
【００５５】
この状態で、絶縁シート３０が更に引き出されて第１絶縁部３０ｃが下部ケース３の外部に引き抜かれると、第２端子部３１の正極端子３３に設けられた複数の接触片３３ａがそのばね力によって第２端子部３１の正極端子３３を押し下げるので、第２電池１０が接続された第２端子部３１の正極端子３３と回路基板３２とが相互に接触して導通する。これにより、第２電池１０の正極１０ａと回路基板３２とが正極端子３３を介して電気的に接続される。
【００５６】
このように、この電子機器によれば、絶縁シート３０が、機器ケース１の下部ケース３の外部から第２電池収納部７における第２端子部３１と回路基板３２との間に配置されてその両者を絶縁した状態で、第１電池収納部６側に延びて第１電池８と回路基板３２との間に配置されてその両者を絶縁し、且つこの状態で下部ケース３の外部に引抜き可能に設けられているので、実施形態１と同様、１枚の絶縁シート３０で第１、第２の各電池８、１０の絶縁を図ることができると共に、この絶縁シート３０を下部ケース３内から引き抜くだけの簡単な作業で、第１、第２の各電池８、１０の順番を間違えずに導通させることができる。
【００５７】
この場合、絶縁シート３０は、下部ケース３の外部から第２電池収納部７における第２端子部３１と回路基板３２との間に配置されてその両者を絶縁した状態で、第１電池収納部６側に延び、この延びた端部の第１絶縁部３０ｃが回路基板３２に接続された第１端子部９の正極端子９ａとこれに対応する第１電池８の正極８ａとの間に配置されてその両者を絶縁する構成であるから、第２電池収納部７に第２電池１０を収納した際、第２電池１０の正極１０ａとこれに対応する第２端子部３１の正極端子３３とが接触して導通しても、この正極端子３３と回路基板３２とを絶縁シート３０の第２絶縁部３０ｂによって絶縁することができ、これにより第２電池１０と回路基板３２とを確実に絶縁することができる。
【００５８】
（実施形態４）
次に、図１３を参照して、この発明を適用した電子機器の実施形態４について説明する。この場合には、図１１および図１２に示された実施形態３と同一部分に同一符号を付して説明する。
この電子機器は、第１電池収納部６における第１端子部４０の正極端子４１を回路基板３２に対し接離可能に設け、この正極端子４１と回路基板３２との間に絶縁シート３０を引抜き可能に設けた構成であり、これ以外は実施形態３とほぼ同じ構成になっている。
【００５９】
すなわち、第１端子部４０の正極端子４１は、図１３に示すように、金属板からなり、その下部に接触片４１ａが設けられた構成になっている。この接触片４１ａは、回路基板３２に接離可能に弾接する板ばね部であり、第１電池収納部６の底部に設けられたスリット孔６ａに上側から挿入され、この挿入された下端部が回路基板３２に向けて斜め下側に傾斜して設けられ、この傾斜した下端部が回路基板３２の電極部(図示せず)に弾力的に接触するように構成されている。
【００６０】
また、絶縁シート３０は、実施形態３と同様、下部ケース１の下辺側の外部から第２電池収納部７の下側を経て第１電池収納部６側に延び、この延びた端部が第１電池収納部６の第１端子部４０の正極端子４１と回路基板３２との間に配置され、この状態で下部ケース３内から外部に引抜き可能に設けられた構成になっている。この場合にも、第２電池収納部７に対応する第２絶縁部３０ｂは、図１３に示すように、第２電池収納部７の底部における下辺側に設けられたスリット孔７ａを通して下部ケース３の外部から第２電池収納部７の下側に送り込まれて、第２端子部３１の正極端子３３と回路基板３２との間に配置されている。
【００６１】
これにより、絶縁シート３０は、摘み部３０ａが下部ケース３の下辺側から外部に突出し、第２絶縁部３０ｂが第２電池収納部７における第２端子部３１の正極端子３３と回路基板３２との間に位置し、第１絶縁部３０ｃが第１電池収納部６に延びて第１端子部４０の正極端子４１と回路基板３２との間に位置して配置され、この状態で第１、第２の各電池収納部６、７内に第１、第２の各電池８、１０が収納されると、第１電池８の正極８ａとこれに対応する第１端子部４０の正極端子４１とが接触すると共に、第２電池１０の正極１０ａとこれに対応する第２端子部３１の正極端子３３とが接触しても、第１端子部４０の正極端子４１と回路基板３２との間を第１絶縁部３０ｃで絶縁すると共に、第２端子部３１の正極端子３３と回路基板３２との間を第２絶縁部３０ｂで絶縁するように構成されている。
【００６２】
また、この絶縁シート３０は、第１電池８の正極８ａが接続された第１端子部４０の正極端子４１と回路基板３２との間に配置されてその両者を絶縁すると共に、第２電池１０の正極１０ａが接続された第２端子部３１の正極端子３３と回路基板３２との間に配置されてその両者を絶縁し、この状態で下部ケース３内から外部に引き抜かれると、第１電池８の正極８ａが接続された第１端子部４０の正極端子４１と回路基板３２とを相互に接触させて導通させると共に、第２電池１０の正極１０ａが接続された第２端子部３１の正極端子３３とを相互に接触させて導通させ、これにより第１、第２の各電池８、１０の電力が電子回路（図示せず）に供給されるように構成されている。
【００６３】
この場合、絶縁シート３０を下部ケース３内から外部に引き抜く際には、まず、第１絶縁部３０ｃが第１電池収納部６内から引き出されると、第１電池８の正極８ａが接続された第１端子部４０の正極端子４１の接触片４１ａが回路基板３２に弾接して導通する。これにより、第１電池８の正極８ａと回路基板３２とが第１端子部４０を介して電気的に接続される。このときには、第１電池収納部６内から引き出された第１絶縁部３０ｃが第２電池収納部７側に移動して第２電池１０の正極１０ａが接続された第２端子部３１の正極端子３３と回路基板３２との間に配置され、この第１絶縁部３０ｃによって第２端子部３１の正極端子３３と回路基板３２とを絶縁する。
【００６４】
この状態で、絶縁シート３０が更に引き出されて第１絶縁部３０ｃが下部ケース３の外部に引き抜かれると、第３実施形態と同様、第２端子部３１の正極端子３３の接触片３３ａがそのばね力によって第２端子部３１の正極端子３３を押し下げるので、第２端子部３１の正極端子３３と回路基板３２とが接触して導通する。これにより、第２電池１０の正極１０ａと回路基板３２とが正極端子３３を介して電気的に接続され、第１、第２の各電池８、１０の電力が電子回路（図示せず）に供給される。
【００６５】
このように、この電子機器によれば、絶縁シート３０が、下部ケース３の外部から第２電池収納部７における第２端子部３１と回路基板３２との間に配置されてその両者を絶縁した状態で、第１電池収納部６側に延びて第１端子部４０と回路基板３２との間に配置されてその両者を絶縁し、且つこの状態で下部ケース３の外部に引抜き可能に設けられているので、実施形態３と同様、１枚の絶縁シート３０で第１、第２の各電池８、１０の絶縁を図ることができると共に、この絶縁シート３０を下部ケース３内から引き抜くだけの簡単な作業で、第１、第２の各電池８、１０の順番を間違えずに導通させることができる。
【００６６】
この場合、絶縁シート３０は、下部ケース３の外部から第２電池収納部７における第２端子部３１と回路基板３２との間に配置された状態で、第１電池収納部６側に延びた端部の第１絶縁部３０ｃが第１端子部４０の正極端子４１と回路基板３２との間に配置されてその両者を絶縁する構成であるから、第１、第２の各電池収納部６、７内に第１、第２の各電池８、１０が収納されて、第１電池８の正極８ａとこれに対応する第１端子部４０の正極端子４１とが接続されると共に、第２電池１０の正極１０ａとこれに対応する第２端子部３１の正極端子３３とが接続されても、第１端子部４０の正極端子４１と回路基板３２との間を第１絶縁部３０ｃで確実に絶縁することができると共に、第２端子部３１の正極端子３３と回路基板３２との間を第２絶縁部３０ｂで確実に絶縁することができる。
【００６７】
なお、上記実施形態１〜４では、第１電池収納部６（または２０）と第２電池収納部７とを機器ケース１の長手方向に沿って設け、絶縁シート１３（または２２、３０）を機器ケース１の長手方向に沿って引抜き可能に設けた場合について述べたが、これに限らず、例えば第１電池収納部６（または２０）と第２電池収納部７とを機器ケース１の長手方向と直交する幅方向に沿って設け、絶縁シート１３（または２２、３０）を機器ケース１の長手方向と直交する幅方向に沿って引抜き可能に設けた構成でも良い。
【００６８】
また、上記実施形態１〜４では、電子機器として、電子式計算機に適用した場合について述べたが、必ずしも電子式計算機である必要はなく、例えば電子辞書、電子手帳、携帯情報端末機（ＰＤＡ：パーソナル・デジタル・アシスタント）などの各種の電子機器に広く適用することができる。
【図面の簡単な説明】
【００６９】
【図１】この発明を適用した電子機器の実施形態１を示した正面図である。
【図２】図１の電子機器の側面図である。
【図３】図１の電子機器の裏面図である。
【図４】図３に示された第１、第２の各電池収納部内に絶縁シートを配置する状態を示した要部の拡大図である。
【図５】図４の状態で第１、第２の各電池収納部に第１、第２の各電池を収納した状態を示した要部の拡大図である。
【図６】図４の絶縁シートを示した拡大平面図である。
【図７】図５のＡ−Ａ矢視における拡大断面図である。
【図８】この発明を適用した電子機器の実施形態２を示した要部の拡大図である。
【図９】図８に示された第１、第２の各電池収納部内に絶縁シートを配置して第１、第２の各電池を収納した状態を示した要部の拡大図である。
【図１０】図９の絶縁シートを示した拡大平面図である。
【図１１】この発明を適用した電子機器の実施形態３を示した要部の拡大図である。
【図１２】図１１のＢ−Ｂ矢視における拡大断面図である。
【図１３】この発明を適用した電子機器の実施形態４を示した要部の拡大断面図である。
【符号の説明】
【００７０】
１  機器ケース
２  上部ケース
３  下部ケース
６、２０  第１電池収納部
７  第２電池収納部
８  第１電池
９、２１、４０  第１端子部
１０  第２電池
１１、３１  第２端子部
１３、２２、３０  絶縁シート
２３  延出部
３２  回路基板
【図１】
0005092739.tif 000002
【図２】
0005092739.tif 000003
【図３】
0005092739.tif 000004
【図４】
0005092739.tif 000005
【図５】
0005092739.tif 000006
【図６】
0005092739.tif 000007
【図７】
0005092739.tif 000008
【図８】
0005092739.tif 000009
【図９】
0005092739.tif 000010
【図１０】
0005092739.tif 000011
【図１１】
0005092739.tif 000012
【図１２】
0005092739.tif 000013
【図１３】
0005092739.tif 000014